(57)【要約】      （修正有）【課題】石油採掘装置に関して、環境に優しいオイルパイプ配列装置を提供する。【解決手段】オイルパイプ配列装置は、支持底板１と、支持底板１に設けられ、かつ互いに連結される５組の集液槽２とを含み、各組の該集液槽２の下部両側の支持底板１には各々支持ブロック３が配置され、支持ブロック３の下方の地面側にはそれぞれ油圧シリンダ４が設けられ、油圧シリンダ４のピストンロッド５は支持ブロック３と連結され、各組の集液槽２の上部の両側にはそれぞれスクリュー６が固定して設けられ、スクリュー６にはそれと互いに組み合わせるスクリュースリーブ７が設けられ、スクリュースリーブ７において、その両側には調節ハンドル８が設けられ、その上端には半円状支持ブラケット９が設けられ、半円状支持ブラケット９には下オイルパイプ１０が縦方向に設けられ、下オイルパイプ１０には複数の上オイルパイプ１１が横方向に設けられる。【選択図】図１
0003220953.tif 000002
【実用新案登録請求の範囲】
【請求項１】
環境に優しいオイルパイプ配列装置であって、支持底板（１）と、前記支持底板（１）に設けられた複数組の集液槽（２）とを含み、各組の該集液槽（２）の下部両側の支持底板（１）には各々支持ブロック（３）が配置され、２つの前記支持ブロック（３）の下方の地面側にはそれぞれ油圧シリンダ（４）が設けられ、前記油圧シリンダ（４）のピストンロッド（５）は前記支持ブロック（３）と連結され、各組の前記集液槽（２）の上部の両側にはそれぞれスクリュー（６）が固定して設けられ、スクリュー（６）にはそれと互いに組み合わせるスクリュースリーブ（７）が設けられ、前記スクリュースリーブ（７）において、その両側には調節ハンドル（８）が設けられ、その上端には半円状支持ブラケット（９）が設けられ、前記半円状支持ブラケット（９）には下オイルパイプ（１０）が縦方向に設けられ、前記下オイルパイプ（１０）には複数の上オイルパイプ（１１）が横方向に設けられる、ことを特徴とする環境に優しいオイルパイプ配列装置。
【請求項２】
前記支持底板（１）には、５組の集液槽（２）が設けられる、ことを特徴とする請求項１に記載の環境に優しいオイルパイプ配列装置。
【考案の詳細な説明】
【技術分野】
【０００１】
本考案は、石油採掘装置に関し、特に環境に優しいオイルパイプの配列装置に関する。
【背景技術】
【０００２】
新しい「環境保護法」の施行に伴い、油田地下作業の建設プロセスにおける環境保護の要求はますます高くなった。油井から取り出されたオイルパイプにより持ち出された原油が地面を汚染することを防ぐために、現在よく使われている方法として、オイルパイプを置く地面に汚染防止フィルムを敷いた上、該フィルムにオイルパイプラックを配置してからオイルパイプを配置する。油井から取り出されたオイルパイプについた原油がフィルムに落ち、作業が完了した後、原油を含むフィルムを回収処理することにより、作業現場の汚染を防止する目的を達成することが多い。そのような施工汚染を防止する方法には、１．操作が複雑で、フィルムの敷設、ラックの架設やコファダムの設置に大量の時間を費やす、２．フィルムが壊れ易く、ラックの配置及び他の作業もフィルムを傷つけ易くて、原油が地面に落ちてしまう、３．フィルムの購入・回収処理費用が高く、各油井に用いるフィルム費用は３００〜５００人民元、回収費用は４００人民元が必要であり、一つの石油生産プラントの毎年使用するフィルム費用は１００万人民元以上が必要であり、回収処理にも７０〜８０万人民元が必要である、４．使用済み油性フィルムは新しい産業廃棄物となり、良い処理方法もなく、焼却処理を行うと大気汚染を引起す、という欠陥を有する。
【考案の概要】
【考案が解決しようとする課題】
【０００３】
本考案が解決しようとする技術的課題は、効果が良く、環境に優しいオイルパイプ配列システムを提供することである。
【０００４】
上記技術的課題を解決するために、本考案は以下の技術手段を採用する。環境に優しいオイルパイプ配列システムであって、支持底板と、前記支持底板に設けられて、互いに連結される複数組の集液槽とを含み、各組の該集液槽の下部両側の支持底板には各々支持ブロックが配置され、前記支持ブロックの下方の地面側にはそれぞれ油圧シリンダが設けられ、油圧シリンダのピストンロッドは前記支持ブロックと連結され、各組の前記集液パイプの上部の両側にはそれぞれスクリューが固定して設けられ、スクリューにはそれと互いに組み合わせるスクリュースリーブが設けられ、前記スクリュースリーブにおいて、その両側には調節ハンドルが設けられ、その上端には半円状支持ブラケットが設けられ、半円状支持ブラケットには下オイルパイプが縦方向に設けられ、下オイルパイプには複数の上オイルパイプが横方向に設けられる。
【０００５】
上記技術的課題をより良く解決するために、本考案では、前記支持底板に５組の集液槽を設置する技術方案を採用する。
【０００６】
本考案は、上記環境に優しいオイルパイプの配列装置が、構造が簡単で、取り付け易く、フィルムの代わりに鋼製集液槽を採用することにより、オイルパイプについた廃油や廃水を収集し、費用を大幅に削減し、廃棄フィルムによる二次汚染をなくし、使用効果が良く、集液槽を組み合わせた全体フレームを巧みに利用して、オイルパイプを配列するための支持ブロックとすることで、複数の半円状支持ブラケットを同一平面内に位置させ、オイルパイプが配列された後、半円状支持ブラケットは均等な力を受け、スクリュースリーブによって、各半円状支持ブラケットの高さを独立に調節でき、地面の凹凸でオイルパイプラックが不均等な力を受けるという課題を解決し、更に、油圧シリンダを使用して、現在、井戸で操作する時、作業者がオイルパイプを持ち上げるために体力が甚だしく消耗するという課題を解決し、且つ高度に自動化された利点を有する。
【図面の簡単な説明】
【０００７】
【図１】本考案の環境に優しいオイルパイプ配列装置の構造を示す図である。
【考案を実施するための形態】
【０００８】
以下、図面と具体的実施例を参照しながら本考案の内容を詳細に説明する。
【０００９】
図１に示すように、環境に優しいオイルパイプ配列装置であって、支持底板１と、前記支持底板１に設けられた複数組の集液槽２とを含み、各組の該集液槽２の下部両側の支持底板１には各々の支持ブロック３が配置され、２つの前記支持ブロック３の下方の地面側にはそれぞれ油圧シリンダ４が設けられ、油圧シリンダ４のピストンロッド５は前記支持ブロック３と連結され、各組の前記集液槽２の上部の両側にはそれぞれスクリュー６が固定して設けられ、スクリュー６にはそれと互いに組み合わせるスクリュースリーブ７が設けられ、前記スクリュースリーブ７において、その両側には調節ハンドル８が設けられ、その上端には半円状支持ブラケット９が設けられ、半円状支持ブラケット９には下オイルパイプ１０が縦方向に設けられ、下オイルパイプ１０には複数の上オイルパイプ１１が横方向に配列設けられる。
【００１０】
図１に示すように、本実施例において、より良い廃油収集効果を達成するために、前記支持底板１に、５組の集液槽２を設ける。
【００１１】
上記環境に優しいオイルパイプ配列装置を使用する時、１０本の下オイルパイプ１０をそれぞれ１０個の半円状支持ブラケット９に配列し、複数の上オイルパイプ１１を下オイルパイプ１０の上部に均一に配列する。下オイルパイプ１０と上オイルパイプ１１との平行程度を調整する必要がある時、調節ハンドル８を回転させてスクリュースリーブ７を上昇或いは降下させて、前記スクリュースリーブ７が半円状支持ブラケット９を上昇或いは降下させ、それにより、下オイルパイプ１０と上オイルパイプ１１を連動して上昇或いは降下させることで、前記平行程度の調整目的を達成し、すべての半円状支持ブラケット９が均等な力を受けることができる。５つの集液槽２を大幅に持ち上げて石油を排出する必要がある時、１０個の油圧シリンダ４を起動し、前記１０個の油圧シリンダ４のピストンロッド５は異なる高さに延伸して一本の斜め直線を形成し、前記ピストンロッド５は支持ブロック３を押し動かして一本の斜め直線を形成することによって、支持底板１を押し動かして一本の斜め直線を形成し、その時、前記支持底板１は５つの集液槽２を一本の斜め直線となるように形成して、石油を排出する目的を達成する。集液槽の高さ及び受ける力の制御は、油圧シリンダ３によりピストンロッド４を駆動して前記集液槽２を調節することで、実現される。
【００１２】
上記環境に優しいオイルパイプの配列装置は、構造が簡単で、取り付け易く、フィルムの代わりに鋼製集液槽を採用することにより、オイルパイプについた廃油や廃水を収集し、費用を大幅に削減し、廃棄フィルムによる二次汚染をなくし、使用効果が良く、同時に、集液槽を組み合わせた全体フレームを巧みに利用して、オイルパイプを配列するための支持ブロックとすることで、複数の半円状支持ブラケットを同一平面内にほぼ位置させ、オイルパイプが配列された後、全ての半円状支持ブラケットは均等な力を受け、スクリュースリーブによって、各半円状支持ブラケットの高さを独立に調節でき、今まで、地面の凹凸でオイルパイプラックが不均等な力を受けるという課題を解決し、更に、油圧シリンダを使用して、現在、井戸で操作する時、作業者がオイルパイプを持ち上げるために体力が甚だしく消耗するという課題を解決し、且つ高度に自動化される。
【符号の説明】
【００１３】
１．支持底板
２．集液槽
３．支持ブロック
４．油圧シリンダ
５．ピストンロッド
６．スクリュー
７．スクリュースリーブ
８．調節ハンドル
９．半円状支持ブラケット
１０．下オイルパイプ
１１．上オイルパイプ
【図１】
0003220953.tif 000003